(57)【要約】      （修正有） 【課題】ロック機能及び解除機能を備えるトルクスリーブを提供する。【解決手段】トルクスリーブは、軸方向に軸孔１３４を有する心軸１３を設け、該心軸が、外周面の軸方向に第１摩擦面１３２を設ける軸桿１と、軸方向の両側にそれぞれ該心軸をスリーブ接続させる軸溝２１及びスリーブ接続溝２２１を有するジャケット２２を開設し、該軸溝内の径方向に該第１摩擦面と接触する第２摩擦面２１１を設ける軸筒２と、第１弾性体３１とスリーブ３２と固定リング３３とを具有し、該第１弾性体が該ジャケットをスリーブ接続させ、該スリーブが該軸筒及び該凸縁の外部をスリーブ接続させ、該ジャケットが径方向に位置決め球３４を装設させる位置決め孔２２５を開設し、該スリーブの内周面に、摺動される２つの行程において該位置決め球に対応する位置にそれぞれに止め壁３２４と球室３２５を設け、該固定リングが該ジャケットに固着するロック及び解除機構３と、を含む。【選択図】図３
0003217420.tif 000002
【実用新案登録請求の範囲】
【請求項１】
径方向に凸縁を設け、該凸縁両側にそれぞれ軸方向に回転工具を接続させる挿入ホゾと軸方向に軸孔を有する心軸を延伸し、該心軸が、外周面の軸方向に該軸孔と相通する少なくとも１つの溝を設け、且つその径方向に、第１摩擦面を設ける軸桿と、
軸方向の両側にそれぞれ該心軸をスリーブ接続させる軸溝及びスリーブ接続溝を有するジャケットを開設し、該スリーブ接続溝が駆動ヘッドを挿入接続させ、該軸溝内の径方向に該第１摩擦面と接触する第２摩擦面を設ける軸筒と、
第１弾性体とスリーブと固定リングとを具有し、該第１弾性体が該ジャケットをスリーブ接続させて該ジャケットの一端に当接し、該スリーブが該軸筒及び該凸縁の外部をスリーブ接続させる管溝を有し、該管溝の一側の開口の内に該第１弾性体を収容させて当接する収容室を形成し、該ジャケットが径方向に位置決め球を装設させる位置決め孔を開設し、該スリーブの内周面に、摺動される２つの行程において該位置決め球に対応する位置にそれぞれに止め壁と球室を設け、該固定リングが該ジャケットの他の一端に固着し、該スリーブが該ジャケットから外すことを避けるロック及び解除機構と、
を含み、
該止め壁が該位置決め球を押圧すると、該位置決め球の一部が該スリーブ接続溝より露出させ、該駆動ヘッドのスリーブ接続ロッドが挿入できない或いは該位置決め球が該スリーブ接続ロッドの嵌合溝に嵌合することを表し、なお、該スリーブが該軸筒の外部に弾性的に摺動すると、該球室が該位置決め球の一部を収容し、該スリーブ接続ロッドが該スリーブ接続溝に挿脱可能であることを表することを特徴とするロック機能及び解除機能を備えるトルクスリーブ。
【請求項２】
さらにトルク調整機構を含み、該トルク調整機構が、該軸孔の内周面にそれぞれに設けられる円錐形の当接面及び結合部と、該軸孔内に取り付けられる調整部材と、を有し、該調整部材の外周面にそれぞれに該当接面と接触する円錐形の当接ヘッド及び該結合部と螺合する接合部を設け、該調整部材を回転させると、該接合部及び該当接ヘッドがそれぞれ該結合部及び該当接面に沿って軸方向に移動し、該心軸の外径寸法を変化させ、該第１摩擦面及び該第２摩擦面の接触面積を調整し、トルクを所定のトルク値に調整することを特徴とする請求項１に記載のロック機能及び解除機能を備えるトルクスリーブ。
【請求項３】
前記当接ヘッドの端面に、軸方向に断面が非円形であり、且つ工具を回転を連動させる回転孔を開設し、
該スリーブ接続溝と該軸溝との間に通過孔で連通され、該工具が該スリーブ接続溝と該通過孔を通過して該軸溝の内に該回転孔を挿入し、該トルク調整機構のトルク調整を行い、所定のトルク値に調整した後、塞ぎ部材を該スリーブ接続溝より入れて該通過孔に装着し、該通過孔を塞ぐようにすることを特徴とする請求項２に記載のロック機能及び解除機能を備えるトルクスリーブ。
【請求項４】
該挿入ホゾの断面が非円形であり、該心軸、該軸溝、及び該スリーブ接続溝の断面が円形であり、該スリーブ接続溝の内に挿着ジャケットを固設し、該挿着ジャケットに、軸方向に該駆動ヘッドの断面が非円形である該スリーブ接続ロッドを挿入して位置決めする挿着孔を開設することを特徴とする請求項１に記載のロック機能及び解除機能を備えるトルクスリーブ。
【請求項５】
第１固定ピンを該スリーブ接続溝の外周面の径方向に予めに開設される第１固定ピンホールに貫通し、該挿着ジャケットの第１挿入孔の内に挿入接続することにより、該挿着ジャケットを該スリーブ接続溝の内に固設することを特徴とする請求項４に記載のロック機能及び解除機能を備えるトルクスリーブ。
【請求項６】
該心軸の外周面に、径方向に嵌合部を凸設し、該軸溝の内周面の該嵌合部に対応する位置に該嵌合部を締結させる締結部を設けることを特徴とする請求項１に記載のロック機能及び解除機能を備えるトルクスリーブ。
【請求項７】
さらに不可逆ラチェット構造を含み、該不可逆ラチェット構造が、該心軸にそれぞれにスリーブ接続される、該凸縁に当接する第２弾性体及び該心軸上の軸方向に移動でき且つ複数の単一方向の活動ラチェット歯を軸方向に環設した活動ラチェットを有し、該軸溝と該第２摩擦面との間に該活動ラチェットを被せ設けさせる収容溝を形成し、該収容溝内に複数の単一方向の固定ラチェット歯を単一方向に環設した固定ラチェットを固定設置し、該固定ラチェット及び該活動ラチェットを噛み合わせ、該心軸の該軸溝内の回転が該所定のトルクを超える時、該心軸が、該軸溝内で空回りを形成し、該活動ラチェット歯を該固定ラチェット歯に沿って回転させ、該活動ラチェットを軸方向に弾性移動させ、音を発せることを特徴とする請求項１に記載のロック機能及び解除機能を備えるトルクスリーブ。
【請求項８】
該活動ラチェットに、径方向に少なくとも１つの限位溝を開設し、限位ピンを各該限位溝に貫通し、該心軸の径方向に開設する限位ピンホール内に挿入接続し、該活動ラチェットを該心軸上の軸方向に移動させ、該固定ラチェットは、径方向に少なくとも１つの位置決め溝を開設し、位置決めピンを該軸溝の径方向に開設する位置ピンホールに貫通させ、各該位置決め溝内に挿入し、該固定ラチェットを該収容溝内で回転しないようにすることを特徴とする請求項７に記載のロック機能及び解除機能を備えるトルクスリーブ。
【請求項９】
第２固定ピンを該固定リングの第２挿入孔に貫通し、該スリーブ接続溝の外周面の径方向に予めに開設される第２固定ピンホールの内に挿入接続することにより、該固定リングを該ジャケットの他の一端に固設することを特徴とする請求項１に記載のロック機能及び解除機能を備えるトルクスリーブ。
【請求項１０】
該止め壁と該球室との間に該位置決め球を導引する導引斜面を形成することを特徴とする請求項１に記載のロック機能及び解除機能を備えるトルクスリーブ。
【考案の詳細な説明】
【技術分野】
【０００１】
本考案はロック機能及び解除機能を備えるトルクスリーブに関し、特に速やかに駆動ヘッドを迅速に着脱することができるトルクスリーブであり、該トルクスリーブの一端が手動、空気圧動、又は電動出力の回転工具にスリーブ接続し、他の一端が該駆動ヘッドにスリーブ接続するトルクスリーブに関する。
【背景技術】
【０００２】
ドライバーは、主に所定の長さの把手及び駆動ヘッドを有する駆動ロッドから構成され、該駆動ヘッドは、一般に−字型又は＋字型があり、ネジ頭部の−字型又は＋字型の凹溝に合わせ、ネジのロック又はリリースに有利である。前記ドライバーの駆動ヘッドは、固定形状及び寸法であるので、異なる造形及び寸法の駆動ヘッドに交換することができない。
【０００３】
前記のドライバーの欠陥に基づき、関連業者は、駆動ヘッドを交換可能な手動工具、例えば、レンチを開発しており、該レンチは、スリーブを接続した後、該スリーブ底端の挿入溝は、異なる造形及び寸法の駆動ヘッドをスリーブ接続することができ、各種タイプのネジに用いることができる。従って、該スリーブは、ただトルグの伝達工具であり、自身は、定量的なトルク機構の設定がない。
【０００４】
従来のドライバー、レンチ等の回転工具は、光学器、例えば、モニタのレンズ調整に用いられ、回転工具のトルク値は、使用者の施力の大きさにより決定され、調整過程において、往々にしてトルクが過度に大きく、レンズを破壊し、大きな損失を招く。さらに、前記のドライバー、レンチ等の回転工具が接続部材、例えば、ネジを回転させる力がネジの耐えられる範囲を超えると、よくネジやまの損壊を招き、改善の余地がある。
【０００５】
前記回転工具の欠陥に基づき、本考案者が有する台湾特許公告第Ｍ４１４２９９号特許（中国特許公告第ＣＮ２０１９９８１１３Ｕ号特許、米国特許公告第８，５４９，９６３ Ｂ２号特許、日本特許公告第Ｕ３１７４１５３号特許、ドイツ特許出願第１０２０１２００５８８５．３号特許出願に対応）が示す「トルク型スリーブ」を例と死、該トルク型スリーブの螺合過程において、スリーブの所定のトルク値を超えない時、ネジは、ねじ込みを持続でき、ネジが所定の位置まで回転し、且つ所定のトルク値を超える時、心軸が軸溝内に空回りを生成し、ネジが過度に締められることがないようにし、前記回転工具の欠陥を改善する。
【０００６】
該トルク型スリーブは、駆動ヘッドが挿入接続されるスリーブ接続溝を有し、該スリーブ接続溝の内側に磁石を設け、該駆動ヘッドを磁気吸着し、該スリーブ接続溝から離脱しないようにし、さらに該駆動ヘッドに磁力をもたせ、磁気感応性材料で製造される接続部材、例えば、ネジを吸着する。該磁石が磁場を生成しているため、心臓ペースメーカ、生理学的信号感知又は監視装置、核磁気共鳴画像診断装置、電子顕微鏡、又はマイクロプロセッサ制御又はデジタルラインを備えた生命維持装置などの医療装置の周りに使用するのには適しておらず、これらの医療機器で磁気干渉を引き起こすことを避ける。よって、どのように磁気吸着の作用を使用せずに該駆動ヘッドを固定することは、関連業者に望まれていた。
【先行技術文献】
【特許文献】
【０００７】
【特許文献１】特開2017-196734号公報
【考案の概要】
【考案が解決しようとする課題】
【０００８】
本考案の主な目的は、軸筒の内にスリーブ接続される軸桿を含み、該軸筒と該軸桿との間に摩擦トルクを形成し、該トルクスリーブが接続部材、例えば、ネジを締める時、該トルクスリーブの所定のトルク値を超える時、空回りを形成し、該接続部材及びロックされたものの損壊を回避し、さらに該軸筒に速やかに駆動ヘッドを迅速に着脱するロック及び解除機構を設け、該ロック及び解除機構が干渉又は脱離の方式で該駆動ヘッドをロック又は解除することにより、磁場干渉の課題を克服するロック機能及び解除機能を備えるトルクスリーブを提供することにある。
【課題を解決するための手段】
【０００９】
上述した目的を達成するために、本考案が採用する技術手段は、径方向に凸縁を設け、該凸縁両側にそれぞれ軸方向に回転工具を接続させる挿入ホゾと軸方向に軸孔を有する心軸を延伸し、該心軸が、外周面の軸方向に該軸孔と相通する少なくとも１つの溝を設け、且つその径方向に、第１摩擦面を設ける軸桿と、軸方向の両側にそれぞれ該心軸をスリーブ接続させる軸溝及びスリーブ接続溝を有するジャケットを開設し、該スリーブ接続溝が駆動ヘッドを挿入接続させ、該軸溝内の径方向に該第１摩擦面と接触する第２摩擦面を設ける軸筒と、第１弾性体とスリーブと固定リングとを具有し、該第１弾性体が該ジャケットをスリーブ接続させて該ジャケットの一端に当接し、該スリーブが該軸筒及び該凸縁の外部をスリーブ接続させる管溝を有し、該管溝の一側の開口の内に該第１弾性体を収容させて当接する収容室を形成し、該ジャケットが径方向に位置決め球を装設させる位置決め孔を開設し、該スリーブの内周面に、摺動される２つの行程において該位置決め球に対応する位置にそれぞれに止め壁と球室を設け、該固定リングが該ジャケットの他の一端に固着し、該スリーブが該ジャケットから外すことを避けるロック及び解除機構と、を含み、該止め壁が該位置決め球を押圧すると、該位置決め球の一部が該スリーブ接続溝より露出され、該駆動ヘッドのスリーブ接続ロッドが挿入できない或いは該位置決め球が該スリーブ接続ロッドの嵌合溝に嵌合することを表し、なお、該スリーブが該軸筒の外部に弾性的に摺動すると、該球室が該位置決め球の一部を収容し、該スリーブ接続ロッドが該スリーブ接続溝に挿脱可能であることを表するロック機能及び解除機能を備えるトルクスリーブを提供する。
【００１０】
上述した目的を達成するために、本考案のもう１つの目的は、径方向に凸縁を設け、該凸縁両側にそれぞれ軸方向に回転工具を接続させる挿入ホゾと軸方向に軸孔を有する心軸を延伸し、該心軸が、外周面の軸方向に該軸孔と相通する少なくとも１つの溝を設け、且つその径方向に、第１摩擦面を設ける軸桿と、軸方向の両側にそれぞれ該心軸をスリーブ接続させる軸溝及びスリーブ接続溝を有するジャケットを開設し、該スリーブ接続溝が駆動ヘッドを挿入接続させ、該軸溝内の径方向に該第１摩擦面と接触する第２摩擦面を設ける軸筒と、第１弾性体とスリーブと固定リングとを具有し、該第１弾性体が該ジャケットをスリーブ接続させて該ジャケットの一端に当接し、該スリーブが該軸筒及び該凸縁の外部をスリーブ接続させる管溝を有し、該管溝の一側の開口の内に該第１弾性体を収容させて当接する収容室を形成し、該ジャケットが径方向に位置決め球を装設させる位置決め長孔を開設し、該位置決め長孔と該位置決め球との間に伸縮バネを設け、該スリーブの内周面に、該位置決め球に対応する位置に該位置決め球に当接する止めホゾを設け、該止めホゾの両側にそれぞれに第１球室及び第２球室を定義し、該固定リングが該ジャケットの他の一端に固着し、該スリーブが該ジャケットから外すことを避けるロック及び解除機構と、を含み、該スリーブ接続溝に該駆動ヘッドのスリーブ接続ロッドが挿入されると、該スリーブ接続ロッドが該位置決め球を該位置決め長孔の内に軸方向に弾性移動させ、該止めホゾに沿って該位置決め球の一部を径方向に該第１球室の内に弾性移動させ、該スリーブ接続ロッドの嵌合溝が該位置決め球に嵌合されるまで、該止めホゾが径方向に該位置決め球に当接させ、なお、該スリーブが該軸筒の外部に弾性的に摺動すると、該第２球室が該位置決め球の一部を収容し、該スリーブ接続ロッドが該スリーブ接続溝に離脱可能であることを表するロック機能及び解除機能を備えるトルクスリーブを提供する。
【図面の簡単な説明】
【００１１】
【図１】本考案のロック機能及び解除機能を備えるトルクスリーブの第一実施例の立体分解図である。
【図２】図１に示すトルクスリーブの組み立て後の立体図である。
【図３】図２における線Ａ−Ａに沿って切り取った断面図である。
【図４】図２における線Ｂ−Ｂに沿って切り取った断面図である。
【図５】図２に示すトルクスリーブ、回転工具、及び駆動ヘッドの立体分解図である。
【図６】図５に示すトルクスリーブ、回転工具、及び駆動ヘッドの組み立て後の立体図であり、該駆動ヘッドを挿入する状態を示す。
【図７】図６に示す駆動ヘッドがロックされた後の断面図である。
【図８】図６に示す駆動ヘッドが解除された後の断面図である。
【図９】本考案のロック機能及び解除機能を備えるトルクスリーブの第二実施例の立体分解図である。
【図１０】図９に示すトルクスリーブの組み立て後の部分断面図である。
【図１１】図１０に示すトルクスリーブに該駆動ヘッドが挿入された後の部分断面図である。
【図１２】図１１に示す駆動ヘッドがロックされた後の断面図である。
【図１３】図１１に示す駆動ヘッドが解除された後の断面図である。
【考案を実施するための形態】
【実施例】
【００１２】
（第一実施例）
図１〜図４に示すように、基本的に、本考案のロック機能及び解除機能を備えるトルクスリーブは、軸桿１と軸筒２とロック及び解除機構３を含む。
【００１３】
そのうち、該軸桿１は、ロッド体であり、その軸方向の一側に挿入ホゾ１１を設け、該挿入ホゾ１１の断面が非円形、例えば、少なくとも１つの切り面１１１を有する柱体であり、該挿入ホゾ１１の内側に径方向に凸縁１２を形成し、該凸縁１２の一側、例えば、内側に断面が円形である心軸１３を延伸して該軸筒２にスリーブ接続し、他側は、例えば、外側にある該挿入ホゾ１１を回転工具４、例えばドライバーの柄の底部のホルダー孔４１に取り付ける（図５に示す）。該心軸１３の外周面に少なくとも１つの溝１３１を軸方向に開設し、該心軸１３に適当な弾性を提供する。また、該心軸１３外周面は、径方向に部分的に凹む第１摩擦面１３２と突起した嵌合部１３３を形成し、且つ該心軸１３に軸方向に軸孔１３４を設け、該軸孔１３４が該少なくとも１つの溝１３１と相通する。
【００１４】
また、該心軸１３の該第１摩擦面１３２が径方向に拡張又は収縮する機能を持たせるために、該軸孔１３４の内周面にトルク調整機構の円錐形の当接面１３４ａを設け、該当接面１３４ａが結合部１３４ｂ、例えば、内ねじ山に接続する。
【００１５】
該軸孔１３４に該トルク調整機構の調整部材１４が取り付けられ、該調整部材１４の外周面にそれぞれに円錐形の当接ヘッド１４１及び接合部１４２、例えば、外ねじ山を設ける。該当接ヘッド１４１の端面に軸方向に断面が非円形、例えば、六角形である回転孔１４３を開設する。組み立て時、使用者は、該調整部材１４を該軸孔１３４内に挿入し、工具、例えば、六角レンチを利用し、該当接ヘッド１４１の該回転孔１４３の内に挿入して回転させ、該接合部１４２を該接合部１３４ｂに螺合させ、該当接ヘッド１４１を該当接面１３４ａ内に収容させ、両者の円錐面を接触させる。
【００１６】
特に、該心軸１３は、該凸縁１２内側に順に第２弾性体１５、例えば、バネ又は皿バネと、該心軸１３に軸方向に移動可能な不可逆ラチェット構造の活動ラチェット１６とをスリーブ接続し、該活動ラチェット１６の内側及び外側にそれぞれに軸方向に複数の単一方向の活動ラチェット歯１６１を環設し、径方向に少なくとも１つの限位溝１６２を開設し、また、限位ピン１６３を該心軸１３の径方向に予め設ける限位ピンホール１３５に貫通し、該限位溝１６２に挿入接続し、該活動ラチェット１６を該心軸１３の上に軸方向に弾性移動させることができる。
【００１７】
該軸筒２の軸方向の両側、例えば、外側及び内側にそれぞれに断面が円形である軸溝２１及びスリーブ接続溝２２１を有するジャケット２２を開設し、該スリーブ接続溝２２１の実施時には、その断面が非円形の孔であり、或いは、該スリーブ接続溝２２１が円形の孔であるが、駆動ヘッド５の断面が非円形であるスリーブ接続ロッド５１（図５に示す）の挿入に対応するため、該スリーブ接続溝２２１の内に挿着ジャケット２３を固設し、該挿着ジャケット２３に、軸方向に該スリーブ接続ロッド５１を挿入して位置決めする断面が非円形である挿着孔２３１を開設する。第１固定ピン２３２を該スリーブ接続溝２２１の外周面の径方向に予めに開設される第１固定ピンホール２２２に貫通させ、該挿着ジャケット２３の第１挿入孔２３３の内に挿入接続することにより、該挿着ジャケット２３を該スリーブ接続溝２２１の内に固設させ、回転させないようにする。
【００１８】
該軸溝２１の寸法が該心軸１３よりやや小さく、両者を従来の緊密に合わせる方式で嵌め込み接続し、停滞位置決め効果を有する枢軸構造を形成する。そのうち、該軸溝２１は、段階状の円孔であり、その内周面は、該心軸１３の該第１摩擦面１３２及び該嵌合部１３３の位置に対応してそれぞれに第２摩擦面２１１及び締結部２１２を設け、該嵌合部１３３は、該締結部２１２に締結し、該軸桿１及び該軸筒２を軸方向に離脱しないようにさせる。該第２摩擦面２１１は、該第１摩擦面１３２と密合することができ、両者間にトルクを形成させる。
【００１９】
該軸溝２１外側の開口と該第２摩擦面２１１との間に該活動ラチェット１６を被せ設けさせる収容溝２１３を形成し、該収容溝２１３の内に該不可逆不可逆ラチェット構造の固定ラチェット２４を固設し、該固定ラチェット２４の内側を該収容溝２１３の内に径方向に設置する内係止縁２１４に当接し、該固定ラチェット２４の外側及び内側に、それぞれに軸方向に複数の単一方向の固定ラチェット歯２４１を環設する及び径方向に少なくとも１つの位置決め溝２４２を開設し、更に、位置決めピン２４３を該軸溝２１の外周面の径方向に予め設ける位置決めピンホール２１５に貫通させ、該位置決め溝２４２の内に挿入接続し、該固定ラチェット２４を該収容溝２１３内に固設させ、回転させないようにする。
【００２０】
トルク偏差値の調整を行いたい場合、該スリーブ接続溝２２１と該軸溝２１との間に通過孔２２３で連通され、組み立てスタッフは、該工具、例えば、六角レンチで該スリーブ接続溝２２１と該通過孔２２３を通過し、該軸溝２１の内に該回転孔１４３を挿入して回転を行い、該調整部材１４を該軸孔１３４の内で軸方向に移動させ、該当接ヘッド１４１を該当接面１３４ａに沿って移動させ、該心軸１３の外径の寸法を変化させ、例えば、径方向に拡張又は収縮させ、該第１摩擦面１３２及び該第２摩擦面２１１の接触面積を調整し、トルクを所定のトルク値に調整する。所定のトルク値に調整した後、塞ぎ部材２５を該スリーブ接続溝２２１より入れて装着し、例え、該通過孔２２３に粘着し、該通過孔２２３を塞ぐようにさせることにより、該調整部材１４を再び調整する可能性を防止する。
【００２１】
該ロック及び解除機構３は、該ジャケット２２をスリーブ接続させてその外側端にある外係止縁２２４に当接され、バネ又は皿バネが挙げられる第１弾性体３１と、該軸筒２及び該凸縁１２の外部をスリーブ接続させるスリーブ３２と、該ジャケットの内側端の外周面に固着される固定リング３３と、を具有する。
【００２２】
該スリーブ３２に軸方向に該軸筒２及び該凸縁１２の外部をスリーブ接続させる管溝３２１を有し、該管溝３２１の外側の開口の内周面に該第１弾性体３１を収容させる収容室３２２を形成し、該収容室３２２に該外係止縁２２４の対向に該第１弾性体３１を当接させる止め縁３２３を設け、該スリーブ３２が、該第１弾性体３１を圧縮すること又は該第１弾性体３１の伸展作用により、該スリーブ３２が該軸筒２の外部に軸方向に弾性的に摺動可能である。
【００２３】
該駆動ヘッド５のロック又は解除効果を提供するために、該ジャケット２２が径方向に位置決め球３４を装設させる位置決め孔２２５を開設し、該スリーブ３２の内周面に、弾性的に摺動される２つの行程において該位置決め球３４に対応する位置にそれぞれに止め壁３２４と球室３２５を設け、該止め壁３２４と該球室３２５との間に該位置決め球３４を導引する導引斜面３２６を形成する。該止め壁３２４が該位置決め球３４を押圧すると、該位置決め球３４の一部が該スリーブ接続溝２１１より露出され、該駆動ヘッド５の該スリーブ接続ロッド５１が挿入できない或いは該位置決め球３４が該スリーブ接続ロッド５１の嵌合溝５３に嵌合することを表し、なお、該球室３２５が該位置決め球３４の一部を収容すると、該スリーブ接続ロッド５１が該スリーブ接続溝２２１に挿脱可能であることを表する。
【００２４】
該固定リング３３が該ジャケット２２の内側端の外周面に固着し、該スリーブ３２が該ジャケット２２から外すことを避ける。第２固定ピン３３２を該固定リング３３の第２挿入孔３３１に貫通し、該スリーブ接続溝２２１の外周面の径方向に予めに開設される第２固定ピンホール２２６の内に挿入接続することにより、該固定リング３３を該ジャケット２２の内側端の外周面に固設させ、回転させないようにする。
【００２５】
該固定リング３３は、トルクスリーブのトルク値を指示する色又は文字を有し、例えば、０．６Ｎｍ（ニュートン-メートル）、０．９Ｎｍ、１．２Ｎｍ、１．４Ｎｍ、２．０Ｎｍ、３．０Ｎｍ、５．０Ｎｍ、５．５Ｎｍなどが挙げられるため、異なるトルク値の該トルクスリーブでは異なる色の固定リング３３を指示とし、例えば、０．６Ｎｍ規格のトルクスリーブでは赤色の固定リング３３を使用し、０．９Ｎｍ規格のトルクスリーブでは黄色の固定リング３３を使用する。
【００２６】
また図１〜図４を参照し、組み立て時、該軸桿１の心軸１３を該軸筒２の該軸溝２１の内に挿入し、該嵌合部１３３を該締結部２１２に締結し、該軸桿１及び該軸筒２の軸方向の分離を発生させないようにする。この時、該心軸１３にスリーブ接続される該活動ラチェット１６は、該第２弾性体１５のエネルギー解放により、該活動ラチェット１６及び該固定ラチェット２４の単一方向の該活動ラチェット歯１６１と該固定ラチェット歯２４１とを互いに噛み合わせる。次いて、該第１弾性体３１、該スリーブ３２、該固定リング３３、及び該位置決め球３４を該ジャケット２２に装設し、該第１弾性体３１のエネルギー解放により、該スリーブ３２を該固定リング３３に当接させ、該管溝３２１の内周面にある止め壁３２４が該位置決め球３４を押圧し、該位置決め球３４の一部を該スリーブ接続溝２１１より露出させ、該駆動ヘッド５の挿入を阻止する。
【００２７】
図５に示すように、該軸桿１の該挿入ホゾ１１は、該回転工具４、例えば、ドライバーの柄の底部の該ホルダー孔４１に挿入され、該軸筒２の該スリーブ接続溝２２は、選定された該駆動ヘッド５をスリーブ接続された後、該ロック及び解除機構３より摺動の方式で該駆動ヘッド５に対してロック又は解除する。そのうち、該回転工具４は、示されるドライバーの柄に制限するものではない。即ち、本考案が示すトルクスリーブは、空気圧動又は電動の回転工具を適用することもでき、予期のロック又はリリースの機能を発揮する。
【００２８】
該駆動ヘッド５の該スリーブ接続ロッド５１の一端の実施時には、例えば、一字型、十字型又は幾何造形であるがこれらに限定されいホゾヘッド５２であることができ、他の一端に該位置決め球３４が嵌合される該嵌合溝５３を設け、のホゾヘッド４２であることができるが、これらはいずれも従来の技術であり、ここでは、詳細を記載しない。
【００２９】
該駆動ヘッド５を該トルクスリーブに取り付けたい場合、先ず、使用者は、該スリーブ３２を該固定リング３３の対向へ押し、該第１弾性体３１を圧縮し（エネルギー蓄積）、該球室３２５を該位置決め球３４に位置合わせ、この時、該駆動ヘッド５の該スリーブ接続ロッド５１を該固定リング３３より挿入させ、該スリーブ接続溝２２１、例えば、該挿着ジャケット２３の該挿着孔２３１の内に通過して位置決め、該スリーブ接続ロッド５１が該位置決め球３４に当接して押す可能までに、該位置決め球３４を該位置決め孔２２５に引っ込め、該位置決め球３４の一部を該球室３２５の内に進入させ（図６に示す）、該スリーブ接続ロッド５１が該塞ぎ部材２５に当接するまでに、該嵌合溝５３を該位置決め球３４の位置に移動させ、該スリーブ３２を解除することができ、該第１弾性体３１の伸展（エネルギー解放）作用により元の位置に戻し、該スリーブ３２が該固定リング３３へ摺動する過程に、該位置決め球３４が該導引斜面３２６に沿って該球室３２５から離脱され、該止め壁３２４で押圧され、径方向に移動されないため、該位置決め球３４を該嵌合溝５３に堅固に嵌合させ、該駆動ヘッド５のロック効果を形成する（図７に示す）。
【００３０】
該トルクスリーブの操作時、先ず、該駆動ヘッド５の該ホゾヘッド５２を被結合物、例えば、骨プレートの周囲の少なくとも１つの接続部材、例えば、骨ネジの頭部の凹溝に位置合わせ、そして手部で該回転工具４を回転させ、該軸桿１を該軸筒２及び該駆動ヘッド５を連動して同期回転させ、ロック作業を行い、螺合過程において、該トルクスリーブの所定のトルク値を越えない時、該骨ネジがねじ込みを持続でき、該骨ネジが既に所定の位置まで回転する（ロック）又は所定のトルク値を超える時、該心軸１３は、該軸溝２１の内に空回りを形成し、該心軸１３がスリーブ接続する該活動ラチェット１６の該活動ラチェット歯１６１を該固定ラチェット２４の該固定ラチェット歯２４１に沿って回転させて軸方向に弾性移動させ、音を発せ、使用者に既に該骨ネジがロック状態又は所定のトルク値までに達したことを警告し、該骨ネジを過度に締めることがないようにする。
【００３１】
該駆動ヘッド５を該トルクスリーブから取り外したい場合、使用者は、ただ該スリーブ３２を該固定リング３３の対向へ押し、該第１弾性体３１を圧縮し（エネルギー蓄積）、該球室３２５を該位置決め球３４に位置合わせ、この時、該駆動ヘッド５の該スリーブ接続ロッド５１を該スリーブ接続溝２２１、例えば、該挿着ジャケット２３の該挿着孔２３１の内から引き出し（図８に示す）、該嵌合溝５３が該位置決め球３４から離れるまでに、該スリーブ接続ロッド５１が該位置決め球３４に当接して押し、該位置決め球３４を該位置決め孔２２５に引っ込めてその一部を該球室３２５の内に進入させ、該駆動ヘッド５へのリリース効果を形成し、気楽に該駆動ヘッド５を該トルクスリーブから取り外し、最後に該スリーブ３２を解除し、それを該第１弾性体３１の伸展（エネルギー解放）作用により元の位置に戻し、該位置決め球３４を該止め壁３２４で押圧され、径方向に移動されない（図３に示す）。
【００３２】
（第二実施例）
図９〜図１３に示すように、該ロック機能及び解除機能を備えるトルクスリーブの第二実施例を示し、この第二実施例は該第一実施例に比べ、同じのマーク（符号）で共通の構成を表示して同じの機能を提供し、この第二実施例と該第一実施例とは共通の構成を大部分に有するので、下記はこの第二実施例と該第一実施例の差異のみを説明する。
【００３３】
該駆動ヘッド５のロック又は解除効果を提供するために、該ジャケット２２が径方向に該位置決め球３４を装設させる位置決め長孔２２７を開設し、該位置決め長孔２２７と該位置決め球３４との間に伸縮バネ３４１を設け、該位置決め球３４を該位置決め長孔２２７の内に軸方向に弾性移動させる。このうち、該位置決め長孔２２７は、該伸縮バネ３４１を収容するバネ溝２２７ａと、該バネ溝２２７ａに連通して該位置決め球３４が装設される球孔２２７ｂとを有し、該バネ溝２２７ａで該伸縮バネ３４１を該スリーブ接続溝２２１の内に落とすことを避けられる。該スリーブ３２の内周面に該位置決め球３４に対応する位置に、該位置決め球３４が当接されて径方向に弾性移動される止めホゾ３２７を設け、該止めホゾ３２７の自由端に該位置決め球３４が径方向に弾性移動される円弧面３２７ａを設け、且つその両側にそれぞれに第１球室３２８及び第２球室３２９を定義し、該止めホゾ３２７と該第２球室３２９との間に該位置決め球３４を導引する導引斜面３２６を形成する。
図１０に示すように、該止めホゾ３２７の該円弧面３２７ａが該位置決め球３４を接触すると、該位置決め球３４の一部が該スリーブ接続溝２１１より露出されるが、該駆動ヘッド５が直接的に該スリーブ接続溝２２１に挿入可能である。
【００３４】
該駆動ヘッド５を該トルクスリーブに取り付けたい場合、先ず、使用者は、該駆動ヘッド５の該スリーブ接続ロッド５１を該固定リング３３より挿入させ、該スリーブ接続溝２２１、例えば、該挿着ジャケット２３の該挿着孔２３１の内に通過して位置決め、該スリーブ接続ロッド５１が該位置決め球３４に当接して押すまでに、該位置決め球３４を軸方向に該伸縮バネ３４１を圧縮させ、（エネルギー蓄積）、該円弧面３２７ａに沿って該位置決め球３４の一部を径方向に該第１球室３２８の内に弾性移動させ（図１１に示す）、該スリーブ接続ロッド５１が該塞ぎ部材２５に当接するまでに、該嵌合溝５３を該位置決め球３４の位置に移動させ、該位置決め球３４が該伸縮バネ３４１の伸展（エネルギー解放）作用により反対方向へ移動され、該位置決め球３４を該嵌合溝３５の内に嵌合させ、該止めホゾ３２７を径方向に該位置決め球３４に当接させ、該駆動ヘッド５のロック効果を形成する（図１２に示す）。
【００３５】
該駆動ヘッド５を該トルクスリーブから取り外したい場合、使用者は、ただ該スリーブ３２を該固定リング３３の対向へ押し、該第１弾性体３１を圧縮し（エネルギー蓄積）、該第２球室３２９を該位置決め球３４に位置合わせ、この時、該駆動ヘッド５の該スリーブ接続ロッド５１を該スリーブ接続溝２２１、例えば、該挿着ジャケット２３の該挿着孔２３１の内から引き出し、該嵌合溝５３が該位置決め球３４から離れるまでに、該スリーブ接続ロッド５１が該位置決め球３４に当接して押し、該位置決め球３４を該位置決め長孔２２７に引っ込めてその一部を該第２球室３２９の内に進入させ、該駆動ヘッド５へのリリース効果を形成し、気楽に該駆動ヘッド５を該トルクスリーブから取り外し、最後に該スリーブ３２を解除し、それを該第１弾性体３１の伸展（エネルギー解放）作用により元の位置に戻し、該位置決め球３４を該止めホゾ３２７に弾性的に当接させる（図１０に示す）。
【００３６】
従って、本考案の実施によって、増益の効果は、該ロック及び解除機構の２つの実施例で該駆動ヘッドに対して干渉又は脱離の機械方式を発生させて該駆動ヘッドをロック又は解除することにより、磁場干渉の課題を克服する。なお、該トルク調整機構の該調整部材の該心軸内で軸方向に移動することにより、該心軸の外径の寸法を変化させ、例えば、径方向に拡張又は収縮し、該心軸と該軸溝の接触面積を調整し、トルクを所定のトルク値に調整する。また、該心軸に該軸溝と相対して設置される不可逆ラチェット構造により、螺合の不当によりトルクが接続部材、例えば、ネジの耐えられる範囲を超える時、該心軸が軸溝内に空回りを形成し、同時に該不可逆ラチェット構造に音を発せ、告知させ、不要な損失を招くことを回避する。更に、該不可逆ラチェット構造の該活動ラチェット及び該固定ラチェットは、単一方向に且つ相互に噛み合い、不可逆機能を有し、接続部材のリリース作業の進行を補助し、同類物品に前代未聞の良好な構造となる。
【００３７】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００３８】
１……軸桿
１１……挿入ホゾ
１１１……切り面
１２……凸縁
１３……心軸
１３１……溝
１３２……第１摩擦面
１３３……嵌合部
１３４……軸孔
１３４ａ……当接面
１３４ｂ……結合部
１３５……限位ピンホール
１４……調整部材
１４１……当接ヘッド
１４２……接合部
１４３……回転孔
１５……第２弾性体
１６……活動ラチェット
１６１……活動ラチェット歯
１６２……限位溝
１６３……限位ピン
２……軸筒
２１……軸溝
２１１……第２摩擦面
２１２……締結部
２１３……収容溝
２１４……内係止縁
２１５……位置決めピンホール
２２……ジャケット
２２１……スリーブ接続溝
２２……第１固定ピンホール
２２３……通過孔
２２４……外係止縁
２２５……位置決め孔
２２６……第２固定ピンホール
２２７……位置決め長孔
２２７ａ……バネ溝
２２７ｂ……球孔
２３……挿着ジャケット
２３１……挿着孔
２３２……第１固定ピン
２３３……第１挿入孔
２４……固定ラチェット
２４１……固定ラチェット歯
２４２……位置決め溝
２４３……位置決めピン
２５……塞ぎ部材
３……ロック及び解除機構
３１……第１弾性体
３２……スリーブ
３２１……管溝
３２２……収容室
３２３……止め縁
３２４……止め壁
３２５……球室
３２６……導引斜面
３２７……止めホゾ
３２７ａ……円弧面
３２８……第１球室
３２９……第２球室 
３３……固定リング
３３１……第２挿入孔
３３２……第２固定ピン
３４……位置決め球
３４１……伸縮バネ
４……回転工具
４１……ホルダー孔
５……駆動ヘッド
５１……スリーブ接続ロッド
５２……ホゾヘッド
５３……嵌合溝
【図１】
0003217420.tif 000003
【図２】
0003217420.tif 000004
【図３】
0003217420.tif 000005
【図４】
0003217420.tif 000006
【図５】
0003217420.tif 000007
【図６】
0003217420.tif 000008
【図７】
0003217420.tif 000009
【図８】
0003217420.tif 000010
【図９】
0003217420.tif 000011
【図１０】
0003217420.tif 000012
【図１１】
0003217420.tif 000013
【図１２】
0003217420.tif 000014
【図１３】
0003217420.tif 000015
【手続補正書】
【提出日】平成30年5月31日(2018.5.31)
【手続補正１】
【補正対象書類名】実用新案登録請求の範囲
【補正対象項目名】請求項７
【補正方法】変更
【補正の内容】
【請求項７】
さらに不可逆ラチェット構造を含み、該不可逆ラチェット構造が、該心軸にそれぞれにスリーブ接続される、該凸縁に当接する第２弾性体及び該心軸上の軸方向に移動でき且つ複数の単一方向の活動ラチェット歯を軸方向に環設した活動ラチェットを有し、該軸溝と該第２摩擦面との間に該活動ラチェットを被せ設けさせる収容溝を形成し、該収容溝内に複数の単一方向の固定ラチェット歯を単一方向に環設した固定ラチェットを固定設置し、該固定ラチェット及び該活動ラチェットを噛み合わせ、該心軸の該軸溝内の回転が該所定のトルクを超える時、該心軸が、該軸溝内で空回りを形成し、該活動ラチェット歯を該固定ラチェット歯に沿って回転させ、該活動ラチェットを軸方向に弾性移動させ、音を発せることを特徴とする請求項２に記載のロック機能及び解除機能を備えるトルクスリーブ。
【手続補正書】
【提出日】平成30年6月5日(2018.6.5)
【手続補正１】
【補正対象書類名】図面
【補正対象項目名】図８
【補正方法】変更
【補正の内容】
【図８】
0003217420.tif 000016
【手続補正２】
【補正対象書類名】図面
【補正対象項目名】図９
【補正方法】変更
【補正の内容】
【図９】
0003217420.tif 000017